(57)【要約】【課題】電気ストーブのガード着脱構造に関するものであり、ガードの外れによる火事や火傷の恐れを解消することを目的とする。【解決手段】前面が開口した本体ケース１と、この本体ケース１内に設けた発熱体２と、この発熱体２の背面に設けた反射板３と、前記本体ケース１の前面開口部に前記発熱体２の前方を覆うように設けたガード４とを備え、このガード４の枠体の一辺にツメ７を設け、反対側の一辺に着脱操作片６を設け、前記ツメ７と前記着脱操作片６と対向する面の本体ケース１に引っ掛け穴９を設けた。【選択図】  図１
2004163043.tif 000002
【特許請求の範囲】
【請求項１】
前面が開口した本体ケース（１）と、この本体ケース（１）内に設けた発熱体（２）と、この発熱体（２）の背面に設けた反射板（３）と、前記本体ケース（１）の前面開口部に前記発熱体（２）の前方を覆うように設けたガード（４）とを備え、このガード（４）の枠体の一辺にツメ（７）を設け、反対側の一辺に着脱操作片（６）を設け、前記ツメ（７）と前記着脱操作片（６）と対向する面の本体ケース（１）に引っ掛け穴（９）を設けてなる電気ストーブのガード着脱構造。
【発明の詳細な説明】
【０００１】
【発明の属する技術分野】
本発明は、電気ストーブのガードの着脱構造に関するものである。
【０００２】
【従来の技術】
【特許文献１】特開平７−３０５８５７号公報
従来の電気ストーブのガード着脱構造としては、図３に示すような構成のものがある。
【０００３】
すなわち、前面を開放した本体ケース１と、その本体開放部に設けた反射板（図示せず）と、反射板の前方に配設された発熱体（図示せず）と、前記発熱体の前方を覆うように反射板の前方に設けたガード４とを備えている。
【０００４】
前記本体ケース１は、両側面を除く中間部を断面が略Ｃ字形状をした鉄板で形成したボデー３１と、その両側面部を樹脂で形成し、かつ板状のリブ片３２を有した側板３３で構成している。
【０００５】
前記ガード４は前面側又は後面側へ凸状に湾曲した線材で形成し、湾曲方向のガード４両最端部の一部は、本体開放部より長くし、少なくとも前記ボデー３１又は反射板に設けた孔を貫通し、本体ケース１内で両最端部が側板３３より延長した樹脂で板状のリブ片３２の平面部に当接するものである。
【０００６】
このような構成により、ガード４の端部の一部が本体ケース１又は反射板の孔を貫通し、湾曲方向のガード４の最先端部を側面の板状リブ片の平面部に当接させるため、本体ケース１に設置されたガード４は、自身の弾性及び板状リブ片の弾性により内側方向に反力を受けて固定され取り付けられる（例えば特許文献１）。
【０００７】
他には図４に示すような構造のものが知られている。
【０００８】
すなわち、前面を開口した本体ケース１内に発熱体２を設け、この発熱体２の背面に反射板３を設け、本体ケース１の前面開口部にガード４を設けている。
【０００９】
ガード４はメッシュ材で４辺を枠体で囲った４角形状であり、一辺には枠体外に飛び出るツメ７を設けていて、反対側の一辺には枠体内に凹部１０を設けている。
【００１０】
本体ケース１には、前記ガード４のツメ７を挿入する引っ掛け穴９が設けられ、また反対側には、同じく前記ガード４の凹部１０に嵌合する凸部（図示せず）を設けている。
【００１１】
このような構成により、ガード４はツメ７を本体ケース１の引っ掛け穴９に挿入した後、本体ケース１の凸部に嵌合するようにガード４の凹部１０を強制的に押し込み本体ケース１に取り付けられる。
【００１２】
【発明が解決しようとする課題】
電気ストーブを長期間使用していると反射板に汚れが付着し、発熱体からの輻射熱の反射率が低下して暖房効率が悪くなったり、外観的に見苦しくなるため、反射板の掃除ができるようにガードが容易に着脱することができる構造が望まれている。
【００１３】
ところで、従来技術の前者のものは、ガード４が線材で構成されているため線材間の隙間を小さくすることが難しく、そのため子供などの細い指はこの隙間から中に入ってしまい、内部にある発熱体の熱で火傷する危険性があった。
【００１４】
そこで指が中に入らないようにすることと、電気ストーブとしての高級感を出すためにガード４にメッシュ材を用いようとした場合、このような固定方法が採用できないという問題があった。
【００１５】
後者のものは、ガード４をメッシュ材で形成し、本体ケース１に取り付ける着脱構造であるが、次のような問題点があげられる。
【００１６】
通電により発熱体２が発熱し、発熱体２の背面の反射板３により、本体前方へ熱が反射され、この時、前方への反射熱とともに、本体ケース１も熱の影響を受け、各部の温度が上昇し、これによって本体ケース１の熱により膨張収縮が発生し、ガード４と本体ケース１の嵌合部分の寸法変形が発生し、ガード４が外れてしまうことがあり、ガード４が外れると発熱体２が露出するため火事や火傷の恐れがあった。
【００１７】
また、ガード４の凹部１０と本体ケース１の凸部を強制的に押し込んで嵌合させることから、寸法に精密さが要求されるとともに、嵌合回数を重ねることによる変形などで、着脱がきつくなったり、緩くなったりと耐久性に難点があった。
【００１８】
【課題を解決するための手段】
本発明は上記の課題を解決するためになされたもので、前面が開口した本体ケースと、この本体ケース内に設けた発熱体と、この発熱体の背面に設けた反射板と、前記本体ケースの前面開口部に前記発熱体の前方を覆うように設けたガードとを備え、このガードの枠体の一辺にツメを設け、反対側の一辺に着脱操作片を設け、前記ツメと前記着脱操作片と対向する面の本体ケースに引っ掛け穴を設けたものである。
【００１９】
これによって、通電時に本体ケースが熱の影響を受け、膨張収縮が発生し、ガードと本体ケースの嵌合部分の寸法が変形しても、ガードが外れることを無くすことができる。また、ガードの着脱回数を重ねることにより着脱がきつくなったり、緩くなったりすることを防止することができる。
【００２０】
【発明の実施の形態】
以下、本発明の一実施例を図１、図２を参照して説明する。
【００２１】
図１において、５は電気ストーブで、前面が開口した本体ケース１内に発熱体２を設け、この発熱体２の背面に反射板３を設け、本体ケース１の前面開口部にガード４を設けている。
【００２２】
ガード４はメッシュ材の４辺を枠体で囲った４角形状であり、この枠体の一辺（図では上辺）には枠外に飛び出ている固定の２個のツメ７を設けている。反対側の一辺にはつまみ８とツメ７よりなる略Ｌ状の着脱操作片６を設けている。
【００２３】
本体ケース１には、ガード４のツメ７を挿入することができるように上部に２箇所、下部に一箇所夫々角状の引っ掛け穴９が設けてある。
【００２４】
着脱操作片６は図２（ａ）、（ｂ）に示すようにつまみ８を手動により回転させることでガード４の枠外にツメ７を出し入れすることができる。
【００２５】
以上のような構成において、ガード４を本体ケース１に取り付けるときには、ガード４を斜めにしてガード４の枠体に付いている２個のツメ７を本体ケース１の上部の引っ掛け穴９に挿入し、その後、図２（ａ）に示すように着脱操作片６のツメ７がガード４の枠外にはみ出さない位置につまみ８を持って回転させ、その状態で本体ケース１にはめ込み、その後、着脱操作片６を回転させて図２（ｂ）に示すようにツメ７が本体ケース１の引っ掛け穴９に挿入される位置で止めて取り付ける。
【００２６】
また、ガード４を取り外すときには、着脱操作片６のつまみ８を取り付け時と反対側に回転させ、ツメ７が本体ケース１の引っ掛け穴９から外れる位置にして引っ張ることで、ガード４は容易に外れる。
【００２７】
したがって、ガード４や本体ケース１が発熱体２の熱の影響を受け、膨張収縮が発生し、ガード４と本体ケース１の嵌合部分の寸法変化があっても、ガード４に設けたツメ７が本体ケース１の引っ掛け穴９に挿入されるため、ガード４が外れることを確実に防止することが出来る。
【００２８】
また、ガード４はメッシュ材を使用して形成することができるため、高級感のある電気ストーブとすることができる。
【００２９】
なお本実施例では、ガード４の上下方向にツメ７を設けて縦方向にガード４を脱着する例を示したが、横方向にツメ７を設けることで横方向の脱着も可能となるものである。
【００３０】
【発明の効果】
以上説明したように本発明によれば、通電時に本体ケースが熱の影響を受けて膨張収縮が発生し、ガードと本体ケースの嵌合部分の寸法が変形しても、ガードを着脱操作片によるツメの出し入れ着脱構造にすることにより、膨張収縮の影響を受けなくなり、これによって、ガードが外れることで発熱体が露出し、火事や火傷の恐れを解消することが出来る。
【００３１】
また、ガードの着脱回数を重ねることによる変形などの影響もなくなり、きつい、緩い等の着脱強度も安定し、耐久性にも問題がなくなる。
【図面の簡単な説明】
【図１】本発明の一実施例における電気ストーブの部分斜視図を示す。
【図２】（ａ）（ｂ）とも同ガード部の部分拡大図を示す。
【図３】従来例の電気ストーブ斜視図を示す。
【図４】従来例の電気ストーブ斜視図を示す。
【符号の説明】
１  本体ケース
２  発熱体
３  反射板
４  ガード
６  着脱操作片
７  ツメ
９  引っ掛け穴
【図１】
2004163043.tif 000003
【図２】
2004163043.tif 000004
【図３】
2004163043.tif 000005
【図４】
2004163043.tif 000006